(57)【要約】【課題】ナビゲーション動作時の表示画面上に、オーディオ動作に必要な簡易に操作可能な操作メニューを表示させる。【解決手段】図２（ａ）に示したナビゲーション画面の表示中に、操作入力部５のＳＲＣキーが押下されると、ＣＰＵ１は、ＭＰ３に対応するオーディオミニメニューとして、ナビゲーション画面下端に操作メニューバーαを表示させ、ナビゲーション画面上端にステータスバーβを表示させる（図２（ｂ））。図２（ｂ）に示したオーディオミニメニューが表示されてから５秒以内に、操作メニューバーαのエンタメキーがタッチされると、ＣＰＵ１は、そのエンタメキーに対応するオーディオソース（ＭＰ３）の付加情報（トラックナンバー、再生時間、タイトル、アーティスト名、フォルダ名、ファイル名等）をモニタ表示部６１に全画面表示させる。【選択図】　　　　　図２
2004132741.tif 000002
【特許請求の範囲】
【請求項１】
オーディオ再生機能を有し、案内地図情報を表示部の画面上に表示して道案内を行うナビゲーション装置であって、
オーディオ動作を制御するための操作メニューの表示を指示する操作入力部と、
前記操作入力部による操作メニューの表示指示があると、前記表示部に表示された前記案内地図情報上に、所定サイズの操作メニュー画面を表示させる表示制御部と、
前記表示制御部によって表示された操作メニューに対する操作に応じてオーディオ動作を制御するオーディオ動作制御部と、
を備えることを特徴とするナビゲーション装置。
【請求項２】
前記操作入力部による操作メニューの表示指示は、前記表示部の筐体に形成されたキー釦の操作により行われることを特徴とする請求項１記載のナビゲーション装置。
【請求項３】
前記表示制御部による前記操作メニューの表示後、所定時間計時するタイマー部を備え、
前記操作メニュー表示後の前記所定時間内に、当該操作メニューが操作されない場合は、前記表示制御部は、当該操作メニューの表示を終了させることを特徴とする請求項１又は２に記載のナビゲーション装置。
【請求項４】
前記操作メニューには、オーディオ動作に関する情報の表示を指示するキー表示が含まれ、
前記操作メニュー表示後の前記所定時間内に、前記キー表示が操作されると、前記オーディオ動作に関する情報を前記表示部に全画面で表示させる全画面表示制御部を備えることを特徴とする請求項１〜３の何れか一項に記載のナビゲーション装置。
【発明の詳細な説明】
【０００１】
【発明の属する技術分野】
本発明は、ナビゲーション装置に関する。
【０００２】
【従来の技術】
近年、車両に搭載されて目的地までの経路案内を行うナビゲーション装置が普及してきている。最近では、テレビ放送やＣＤ再生、ＭＤ再生等を行うためのオーディオ装置が車両に搭載可能になっている。これに伴い、車両に搭載されるオーディオ装置を制御するための様々な方法が提案されている（例えば、特許文献１参照。）。
【０００３】
【特許文献１】
特開２０００−０３６１５３号公報
【０００４】
【発明が解決しようとする課題】
しかしながら、従来の車両搭載用のオーディオ装置は、オーディオ動作を制御するための操作キーが、オーディオ装置の筐体に機械的或いは物理的に取り付けられた構成（以下、ハードキー釦と称す。）になっていることから、キー配置のスペースを確保するために、表示パネルの大きさが制限されるという問題があった。また、特に、オーディオ再生機能を有するナビゲーション装置（特許文献１）においては、ナビゲーション用の操作キーに加えてオーディオ用の操作キーを配置するため、キーの数が多くなり、ユーザにとってキー操作が困難になるという操作性の問題があった。
【０００５】
本発明の課題は、ナビゲーション動作時の表示画面上に、オーディオ動作に必要な簡易に操作可能な操作メニューを表示させることが可能なナビゲーション装置を提供することである。
【０００６】
【課題を解決するための手段】
上記課題を解決するために、本発明は、オーディオ再生機能を有し、案内地図情報を表示部の画面上に表示して道案内を行うナビゲーション装置であって、
オーディオ動作を制御するための操作メニューの表示を指示する操作入力部と、前記操作入力部による操作メニューの表示指示があると、前記表示部に表示された前記案内地図情報上に、所定サイズの操作メニュー画面を表示させる表示制御部と、前記表示制御部によって表示された操作メニューに対する操作に応じてオーディオ動作を制御するオーディオ動作制御部と、を備えることを特徴としている。
【０００７】
また、本発明において、前記操作入力部による操作メニューの表示指示は、前記表示部の筐体に形成されたキー釦の操作により行われることが好ましい。
【０００８】
また、本発明において、前記表示制御部による前記操作メニューの表示後、所定時間計時するタイマー部を備え、前記操作メニュー表示後の前記所定時間内に、当該操作メニューが操作されない場合は、前記表示制御部は、当該操作メニューの表示を終了させることが好ましい。
【０００９】
また、本発明において、前記操作メニューには、オーディオ動作に関する情報の表示を指示するキー表示が含まれ、前記操作メニュー表示後の前記所定時間内に、前記キー表示が操作されると、前記オーディオ動作に関する情報を前記表示部に全画面で表示させる全画面表示制御部を備えることが好ましい。
【００１０】
【発明の実施の形態】
以下、図を参照して本発明の実施の形態を詳細に説明する。
まず、構成を説明する。
【００１１】
図１は、本発明の実施の形態に係るナビゲーション装置１００の主要部構成を示すブロック図である。ナビゲーション装置１００は、図１に示すように、ＣＰＵ（Ｃｅｎｔｒａｌ　Ｐｒｏｃｅｓｓｉｎｇ　Ｕｎｉｔ）１、記憶部２、メモリ３、タイマー部４、操作入力部５、操作表示部６、ナビゲーション部７、ＴＶ（Ｔｅｌｅｖｉｓｉｏｎ）部８、ＨＤ（Ｈａｒｄ　Ｄｉｓｋ）部９、デコーダ部１０及びスピーカ部１１等により構成される。
【００１２】
ＣＰＵ１は、記憶部２に記憶されている各種制御プログラム、すなわち、本発明に係るナビゲーション装置１００の各部の制御、表示制御、オーディオ動作制御及び全画面表示制御等の制御プログラムとの協働により、統括的制御を実行する。以下、それらの各制御動作の詳細を説明する。
【００１３】
ＣＰＵ１は、ナビゲーション部７から出力された情報及び記憶部２に記憶されている地図情報データに基づいて、車両の現在位置と地図データの道路形状とをマッチングさせて、モニタ表示部６１に地図画面を表示させるとともに、その地図画面上に車両の現在位置を表示させる（以下、この複合表示画面をナビゲーション画面と称す。）。
【００１４】
また、ＣＰＵ１は、モニタ表示部６１に、ナビゲーション画面やＴＶ画面が表示されているときに、操作入力部５のＳＲＣキー（オーディオソース切替キー）の操作信号が入力されると、そのナビゲーション画面上やＴＶ画面上に、オーディオミニメニューを表示させる（図２参照）。
【００１５】
ここで、オーディオミニメニューとは、オーディオ動作を制御するために表示が簡易化されたメニューである。このようなメニューをバー表示した例としてのオーディオミニメニューは、図２（ｂ）に示すように、オーディオソースの操作メニューを示す操作メニューバーαと、オーディオソースの状態を示すステータスバーβから構成される。
【００１６】
操作メニューバーαは、再生キーや前進／後進スキップキー等の操作キーと、現在設定されているオーディオソースを示すエンタメ（エンターテインメント）キー１２から構成される。このエンタメキー１２は、該当するオーディオ動作に関する情報の表示を指示するためのものである。
【００１７】
ステータスバーβは、音楽を再生する場合に、再生する曲のトラックナンバーや再生時間を表示する。テレビ放送の場合は、チャンネルやテレビ局名を表示する。なお、本実施の形態では、オーディオソースとして、ＭＰ３データ（後述）及びテレビ放送を取り扱うが、オーディオソースの種類は特に限定されない。例えば、ラジオ放送や、ＣＤ、ＭＤ、ＤＶＤ等に記録媒体に記録されたオーディオデータであってもよい。
【００１８】
オーディオミニメニューの表示時間は、タイマー部４により計時されている。ＣＰＵ１は、オーディオミニメニューの表示中に、操作メニューバーα内のエンタメキー１２の操作信号が入力されると、モニタ表示部６１に、該当するオーディオソースに関する情報を全画面表示させる（図３（ｂ）参照）。例えば、オーディオソースがＭＰ３データである場合は、モニタ表示部６１には、オーディオソースに関する情報として、ＭＰ３データに付加されたタグ情報が表示される。
【００１９】
所定の表示時間が経過しても、操作メニューバーα内の操作キーや、操作入力部５の操作キーが操作されない場合は、ＣＰＵ１は、このオーディオミニメニューの表示を消去するように命令出力する。
【００２０】
更に、ＣＰＵ１は、オーディオミニメニュー表示中に、操作入力部５のＳＲＣキーの操作信号が入力されると、現在表示中のオーディオミニメニューの表示を消去させ、他のオーディオソースのオーディオミニメニューを表示させる。
【００２１】
また、ＣＰＵ１は、操作メニューバーα内の操作キーがタッチされると、その操作に応じてオーディオ動作を制御する。例えば、操作メニューバーα内の再生キーがタッチされると、ＣＰＵ１は、ステータスバーβに示されたトラックナンバーの曲の再生を開始させる。
【００２２】
記憶部２は、プログラムやデータ等が予め記憶されている記録媒体（図示略）を有し、この記録媒体に、ＣＰＵ１により実行される各種制御プログラム及びこれらの制御プログラムの実行時に利用されるデータ等を記憶する。また、記憶部２は、車の経路案内に必要な地図情報データを記憶している。
【００２３】
メモリ３は、ＣＰＵ１により実行される各種制御プログラム、入力データ及びプログラム実行処理における処理結果等の各種データをワークメモリに一時的に格納する。
【００２４】
タイマー部４は、ＣＰＵ１からの制御信号に従って、タイマー値（例えば、５秒間）を設定するとともに、タイマー値が設定された時点からの経過時間を計時し、経過時間が当該タイマー値に達した時、計時が終了した旨を通知する終了信号をＣＰＵ１に出力する。
【００２５】
操作入力部５は、ナビゲーション動作等を指定するための各種キー、オーディオミニメニューの表示やオーディオソースの切り替えを指示するためのＳＲＣ（Ｓｏｕｒｃｅ）キー等のハードキー釦を備えており、これらのキー操作による操作信号をＣＰＵ１に出力する。ここで、ハードキー釦とは、ナビゲーション装置１００の操作表示部６の筐体に物理的に取り付けられた構成のキー釦を指す。なお、操作入力部５は、リモートコントローラ等の入力装置を備える構成としてもよい。
【００２６】
操作表示部６は、モニタ表示部６１、タッチパネル６２を備えている。モニタ表示部６１は、ＬＣＤ（Ｌｉｑｕｉｄ　Ｃｒｙｓｔａｌ　Ｄｉｓｐｌａｙ）等により構成され、ＣＰＵ１から入力される表示信号に従って、所要の表示処理を行う。
【００２７】
タッチパネル６２は、モニタ表示部６１の表示画面上を覆うように重畳して設けられ、電磁誘導式、磁気歪式、感圧式等の座標読み取り原理でタッチ指示された座標を検出し、検出した座標を位置信号としてＣＰＵ１に出力する。
【００２８】
ナビゲーション部７は、ＧＰＳ（Ｇｌｏｂａｌ　Ｐｏｓｉｔｉｏｎｉｎｇ　Ｓｙｓｔｅｍｓ）ユニット及び自律航法ユニット等を備える。ＧＰＳユニットは、ＧＰＳアンテナ７１を有し、ＧＰＳアンテナ７１を介して、地球低軌道に打ち上げられた複数のＧＰＳ衛星のうちの少なくとも３個のＧＰＳ衛星から送信されるＧＰＳ信号を受信する。ＧＰＳユニットは、受信されたＧＰＳ信号に基づいて、車両の現在位置（緯度、経度）を検出してＣＰＵ１に出力する。自律航法ユニットは、角度センサ、距離センサ等を備えている。角度センサは、車両の角速度を検出して、移動方位の変化量を算出する。距離センサは、車輪の回転に応じて出力されるパルス信号を検出して、車両の移動量を算出する。自律航法ユニットは、これら角速度信号及びパルス信号により、車両の相対的な位置変化を算出してＣＰＵ１に出力する。
【００２９】
ＴＶ部８は、ＴＶアンテナ８１に接続され、ＴＶアンテナ８１により受信されたテレビ放送用電波の中から、タッチパネル６２によって指定されたチャンネルの放送電波を抽出し、ＣＰＵ１から入力される制御信号に従って、放送内容である映像信号、音声信号を、それぞれ、モニタ表示部６１、スピーカ部１１に出力する。
【００３０】
ＨＤ部９は、ＭＰ３（ＭＰＥＧ−１　Ａｕｄｉｏ　Ｌａｙｅｒ−３）方式で圧縮された音声データを記憶する。ＭＰ３方式とは、ＭＰＥＧ（Ｍｏｖｉｎｇ　Ｐｉｃｔｕｒｅ　Ｅｘｐｅｒｔｓ　Ｇｒｏｕｐ）で規格化された音声データの圧縮方式の一つである。ＨＤ部９に記憶されるＭＰ３方式の各ファイルには、曲名、アルバム名、アーティスト名等の付属文字情報（ＩＤ３タグ情報）が付加されている。ＨＤ部９に記憶される音声データは、例えば、メモリスティック（登録商標）等の記録媒体に記録されたＭＰ３ファイルをコピーしたものである。
【００３１】
デコーダ部１０は、ＨＤ部９に格納されたＭＰ３方式の音声データを復号化し、スピーカ部１１に出力する。
【００３２】
スピーカ部１１は、ＴＶ部８又はデコーダ部１０から入力された音声信号を増幅回路（図示略）で増幅し、外部に出力する。
【００３３】
次に、図２〜図４を参照して、本実施の形態の動作を説明する。
【００３４】
モニタ表示部６１に、図２（ａ）に示すようなナビゲーション画面が表示されているものとする（ステップＳ１）。図２（ａ）のナビゲーション画面の右隅には、現在設定されているオーディオソースとして、ＭＰ３に対応するエンタメキー１２が表示されている。
【００３５】
図２（ａ）に示したナビゲーション画面の表示中に、操作入力部５のＳＲＣキーが押下されると、ＣＰＵ１は、ＭＰ３に対応するオーディオミニメニューとして、図２（ｂ）に示すように、ナビゲーション画面下端に操作メニューバーαを表示させ、ナビゲーション画面上端にステータスバーβを表示させる（ステップＳ２）。
【００３６】
操作メニューバーαは、画面下端から、アニメーション動作によってナビゲーション画面上に出現する。操作メニューバーα及びステータスバーβは、図２（ｂ）に示すように、ナビゲーション画面の表示を妨げない程度の小さいサイズである。なお、記憶部２に、オーディオミニメニューの表示を通知するためのＢｅｅｐ音のデータを記憶し、オーディオミニメニューを表示させる際、スピーカ１１からこのＢｅｅｐ音を鳴らすようにしてもよい。
【００３７】
図２（ｂ）に示した操作メニューバーαにおいて、「Ｆ−」は、ステータスバーβに表示中（又は再生中）の音楽データ（ＭＰ３ファイル）が格納されたフォルダの一つ下のフォルダに切り替えるための操作キーである。「Ｆ＋」は、ステータスバーβに表示中（又は再生中）の音楽データが格納されたフォルダの一つ上のフォルダに切り替えるための操作キーである。また、この操作メニューバーαには、再生／一時停止キー、後進スキップキー、前進ステップキーが表示されている。操作メニューバーαの右端には、ＭＰ３に対応するエンタメキー１２が表示されている。図２（ｂ）に示したステータスバーβには、ＭＰ３ファイルのトラックナンバー及び再生時間が表示されている。図２（ｂ）のステータスバーβでは、トラックナンバー４と、そのトラックナンバー４のＭＰ３ファイルの再生時間として４分５２秒が表示されている。
【００３８】
ＣＰＵ１は、操作メニューバーα内の操作キーがタッチされると、その操作に応じてオーディオ動作を制御する。例えば、図２（ｂ）に示すようなＭＰ３に対応するオーディオミニメニューが表示されているときに、操作メニューバーα内の再生キーがタッチされると、ＣＰＵ１は、トラックナンバー３のＭＰ３ファイルの再生を開始させる。また、例えば、操作メニューバーα内の前進スキップキーがタッチされると、ＣＰＵ１は、ステータスバーβに、トラックナンバー４を表示するとともに、トラックナンバー４に対応するＭＰ３ファイルの再生時間を表示させる。
【００３９】
オーディオミニメニューのアニメーション動作が終了し、オーディオミニメニューがナビゲーション画面上に完全に表示されると、ＣＰＵ１は、オーディオミニメニュー表示時間の計時を指示する信号をタイマー部４に出力する。本実施の形態では、オーディオミニメニューの表示時間を５秒間とするが、この表示時間は特に限定されない。
【００４０】
ナビゲーション画面上に図２（ｂ）（又は図３（ａ））に示すようなオーディオミニメニューが表示されてから５秒以内に、操作メニューバーαのエンタメキー１２がタッチされると、ＣＰＵ１は、タイマー部４の計時を終了させ、図３（ｂ）に示すように、そのエンタメキー１２に対応するオーディオソース（ＭＰ３）に関する情報をモニタ表示部６１に全画面表示させる（ステップＳ３）。
【００４１】
図３（ｂ）の画面においては、オーディオソースに関する情報として、ＭＰ３データに付加されたＩＤ３タグ情報が全画面で表示されている。ＩＤ３タグ情報としては、ＭＰ３ファイルのトラックナンバー、再生時間、楽曲のタイトル、アーティスト名、フォルダ名、ファイル名等が含まれる。また、図３（ｂ）に示した画面には、ＭＰ３ファイルの操作メニューが表示されている。
【００４２】
ナビゲーション画面上に図３（ａ）に示すようなオーディオミニメニューが表示されてから、操作入力部５及び操作メニューバーα内の操作メニューが操作されずに５秒経過し、タイマー部４から計時終了信号が入力されると、ＣＰＵ１は、オーディオミニメニューをアニメーション動作で消去させる。なお、オーディオミニメニューが完全に画面上から消去されるまでは、操作メニューバーα内の各操作キーのタッチ操作は有効である。
【００４３】
ナビゲーション画面上に図３（ａ）に示すようなオーディオミニメニューが表示されてから５秒以内に、操作入力部５のＳＲＣキーが押下されると、ＣＰＵ１は、タイマー部４の計時を終了させ、そのオーディオミニメニューの表示をアニメーション動作で消去させる。そのオーディオミニメニューのアニメーション動作中に、操作入力部５及び操作メニューバーα内の操作メニューが操作されず、そのオーディオミニメニューが完全に画面から消去されると、ＣＰＵ１は、図４（ｂ）に示すように、次のオーディオソースとして、ＴＶに対応するオーディオミニメニューをナビゲーション画面上に表示させる（ステップＳ４）。
【００４４】
オーディオソースがＴＶである場合の操作メニューバーαには、図４（ｂ）に示すように、選局（周波数増減）キーや、ＴＶに対応するエンタメキー１２が表示される。また、ステータスバーβには、チャンネル及び放送局名が表示される。
【００４５】
ナビゲーション画面上に図４（ｂ）に示すようなオーディオミニメニューが表示されてから５秒以内に、操作入力部５のＳＲＣキーが押下されると、ＣＰＵ１は、タイマー部４の計時を終了させ、そのオーディオミニメニューの表示をアニメーション動作で消去させる。そして、そのオーディオミニメニューのアニメーション動作中に、操作入力部５及び操作メニューバーα内の操作メニューが操作されず、そのオーディオミニメニューが完全に画面から消去されると、ＣＰＵ１は、図４（ｃ）に示すように、ナビゲーション画面の右隅に、画面の電源を切るための「ＡＬＬ　ＯＦＦ」キーを表示させる（ステップＳ５）。
【００４６】
ナビゲーション画面上に図４（ｂ）に示すようなオーディオミニメニューが表示されてから、操作入力部５及び操作メニューバーα内の操作メニューが操作されずに５秒経過し、タイマー部４から計時終了信号が入力されると、ＣＰＵ１は、そのオーディオミニメニューをアニメーション動作で消去させる。
【００４７】
ナビゲーション画面上に、図４（ｃ）に示すように「ＡＬＬ　ＯＦＦ」キーが表示されてから５秒以内に、操作入力部５のＳＲＣキーが押下されると、ＣＰＵ１は、タイマー部４の計時を終了させ、「ＡＬＬ　ＯＦＦ」キーの表示を消去させる。そして、ＣＰＵ１は、次のオーディオソースとして、ＭＰ３に対応するオーディオミニメニューをナビゲーション画面上に表示させる（ステップＳ２）。すなわち、図４（ｃ）の画面表示から５秒以内にＳＲＣキーが押下されると、図４（ａ）の画面に戻る。なお、本実施例では、ＳＲＣキーの押下によるオーディオソースの遷移を、ＭＰ３、ＴＶ、ＡＬＬ　ＯＦＦ、ＭＰ３、ＴＶ、…の順番で行う例を示したが、オーディオソースの遷移順は特に限定されない。
【００４８】
ナビゲーション画面に、図４（ｂ）に示すようなオーディオミニメニューが表示されてから５秒以内に、操作メニューバーαのエンタメキー１２（「ＴＶ」キー）がタッチされると、ＣＰＵ１は、タイマー部４の計時を終了させ、図４（ｄ）に示すように、モニタ表示部６１にＴＶ画面を全画面表示させる（ステップＳ６）。図４（ｄ）に示したＴＶ画面には、ＴＶに対応するエンタメキー１２が表示されている。従って、モニタ表示部６１に図４（ｄ）のＴＶ画面を表示している状態から、ＳＲＣキーが押下されると、そのＴＶ画面上に、ＴＶに対応するオーディオミニメニューが表示されることになる。
【００４９】
ナビゲーション画面上に、図４（ｃ）に示すように「ＡＬＬ　ＯＦＦ」キーが表示されてから５秒以内に、その「ＡＬＬ　ＯＦＦ」キーがタッチされると、ＣＰＵ１は、図４（ｅ）に示すように、モニタ表示部６１の電源を切る（ステップＳ７）。モニタ表示部６１に図４（ｅ）の画面を表示している状態から、ＳＲＣキーが押下されると、画面の背景は真っ暗なまま、オーディオソースの遷移順で次のオーディオソースに対応するＭＰ３に対応するオーディオミニメニューが表示される。
【００５０】
以上のように、本実施の形態のナビゲーション装置１００によれば、ナビゲーション画面（図２（ａ））が表示されているときに、ハードキー釦であるＳＲＣキーが押下されると、図２（ｂ）に示すようなオーディオミニメニューをナビゲーション画面上に表示させて、オーディオミニメニュー上のタッチ指示で、オーディオ動作を操作可能にしたことにより、オーディオ動作制御のためのハードキー釦を配置する必要がなくなり、画面表示のための十分なスペースを確保することができる。
【００５１】
このように、オーディオ動作を制御するための操作メニューをソフトキーにしたことにより、ナビゲーション装置１００の製造に係る部品数を減らすことができ、製造コストを削減させることができる。また、画面上のオーディオミニメニューのレイアウトを自由に設定できる。
【００５２】
また、オーディオミニメニューの表示指示を、ハードキー釦の押下によって行うことにより、簡易な操作でオーディオミニメニューを表示させることができる。
【００５３】
更に、オーディオミニメニュー表示後、所定時間経過しても、オーディオミニメニュー内の操作キーがタッチ指示されない場合は、自動的にオーディオミニメニューを閉じて、元の画面に戻ることにより、ナビゲーションとしての機能が損なわれることがなくなる。
【００５４】
また、オーディオミニメニュー内のエンタメキー１２のタッチ指示により、該当するオーディオデータに関する情報（トラックナンバー、再生時間、アーティスト名等）を全画面で表示させることにより、ユーザは、オーディオデータに関する情報（タグ情報）を一画面で確認することができる。
【００５５】
なお、本実施の形態における記述内容は、本発明の趣旨を逸脱しない範囲で適宜変更可能である。
【００５６】
【発明の効果】
本発明によれば、表示部にオーディオ動作制御のための操作メニューを表示し、表示された操作メニュー上での操作によってオーディオ動作制御を可能にしたことにより、オーディオ動作制御のために、表示部の筐体に形成されたキー釦を配置する必要がなくなり、画面表示のための十分なスペースを確保することができる。
【図面の簡単な説明】
【図１】本発明を適用した実施の形態におけるナビゲーション装置１００の主要部構成を示すブロック図である。
【図２】ＳＲＣキーの押下による画面遷移例を示す図である。
【図３】オーディオミニメニュー中のエンタメキー１２のタッチによる画面遷移例を示す図である。
【図４】ＳＲＣキーの押下による画面遷移例及びエンタメキー１２のタッチによる画面遷移例を示す図である。
【符号の説明】
１　　ＣＰＵ
２　　記憶部
３　　メモリ
４　　タイマー部
５　　操作入力部
６　　操作表示部
６１　モニタ表示部
６２　タッチパネル
７　　ナビゲーション部
７１　ＧＰＳアンテナ
８　　ＴＶ部
８１　テレビアンテナ
９　　ＨＤ部
１０　デコーダ部
１１　スピーカ部
１２　エンタメキー
１００　ナビゲーション装置
α　　操作メニューバー
β　　ステータスバー
【図１】
2004132741.tif 000003
【図２】
2004132741.tif 000004
【図３】
2004132741.tif 000005
【図４】
2004132741.tif 000006